(57)【要約】      （修正有）【課題】長期間使用しないことがあっても、配管内の詰まりやカビ・錆び等の発生を解消できるものとしたシロアリ防除用薬液剤噴霧装置を提供する。【解決手段】建築物の床下における布基礎Ｐの立上がり部壁面に沿って敷設され且つ床外部の換気口４に連通して成るシロアリ防除用の薬液剤供給用配管１と、換気口４から薬液剤供給用配管１内に薬液剤を導入するポンプ装置６と、ポンプ装置６によって薬液剤を布基礎Ｐの立上がり部側面から床下側に向けて微細霧状に噴霧させるよう薬液剤供給用配管１の少なくとも一部箇所に備えた噴霧ノズル２，３とを有し、薬液剤の噴霧終了後に、換気口４から薬液剤供給用配管１内に圧縮空気を送気して配管１内に残留した薬液剤を噴霧ノズル２，３から排出させるよう換気口４のポンプ装置６をコンプレッサー７に切替える構成とする。【選択図】図１
0003198367.tif 000002
【実用新案登録請求の範囲】
【請求項１】
建築物の床下における布基礎の立上がり部壁面に沿って敷設され且つ床外部の換気口に連通して成るシロアリ防除用の薬液剤供給用配管と、
前記換気口から前記薬液剤供給用配管内に薬液剤を導入するポンプ装置と、
前記ポンプ装置によって薬液剤を前記布基礎の立上がり部側面から床下側に向けて微細霧状に噴霧させるよう当該薬液剤供給用配管の少なくとも一部箇所に備えた噴霧ノズルと、
薬液剤の噴霧終了後に、前記換気口から前記薬液剤供給用配管内に圧縮空気を送気して当該配管内に残留した薬液剤を前記噴霧ノズルから排出させるよう当該換気口のポンプ装置をコンプレッサーに切替える構成とすることを特徴とするシロアリ防除用薬液剤噴霧装置。
【請求項２】
前記換気口は、三方弁を介して前記ポンプ装置および前記コンプレッサーに接続され、該三方弁は、前記ポンプ装置の駆動による前記噴霧ノズルからの薬液剤の噴霧操作の終了時に、前記ポンプ装置から前記コンプレッサーに切替えて前記薬液剤供給用配管内に圧縮空気を送気するものとした請求項１記載のシロアリ防除用薬液剤噴霧装置。
【請求項３】
前記噴霧ノズルは、矩形状の床面に対応して敷設された平面視矩形状の布基礎の場合、当該布基礎の対角線に沿って対向配置して成る請求項１または２記載のシロアリ防除用薬液剤噴霧装置。
【請求項４】
建築物の床下における布基礎の立上がり部壁面に沿って敷設され且つ床外部の換気口に連通して成るシロアリ防除用の薬液剤供給用配管と、
前記換気口から前記薬液剤供給用配管内に薬液剤を導入するポンプ装置と、
前記ポンプ装置によって薬液剤を前記布基礎の立上がり部側面から床下側に向けて微細霧状に噴霧させるよう当該薬液剤供給用配管の少なくとも平面視矩形状の布基礎の対角線に沿って対向配置して成る噴霧ノズルと、
を有し、
前記換気口は、三方弁を介して前記ポンプ装置および前記コンプレッサーに接続され、該三方弁は、前記ポンプ装置の駆動による前記噴霧ノズルからの薬液剤の噴霧操作の終了時に、前記ポンプ装置から前記コンプレッサーに切替えて前記薬液剤供給用配管内に圧縮空気を送気することで当該配管内に残留した薬液剤を前記噴霧ノズルから排出させるものとしたことを特徴とするシロアリ防除用薬液剤噴霧装置。
【考案の詳細な説明】
【技術分野】
【０００１】
本考案は、床下からのシロアリの侵入を防止して建築物を保護するためのシロアリ防除用薬液剤噴霧装置に関する。
【背景技術】
【０００２】
シロアリは、湿度が高くて通風が良好でない等の条件下であれば、土壌から布基礎を経て建物へ侵入し、建物の木質部分に対して大きな食害をもたらす習性を持っている。このため、シロアリから建物を保護するためには、作業者が床下に潜り込んでシロアリ防除用の薬液剤を噴霧したり、菌を打ち込む等していた。
【０００３】
また、例えば特許文献１に開示されているように、布基礎の立上がり部分と土間コンクリートの端部との接合部分に、防蟻剤を吸着保持した吸着材を配設し、さらにその上に、長手方向に複数の吐出口をあけた防蟻剤供給管を配設して当該吐出口から前記吸着材に対して防蟻剤を吐出させる基礎の防蟻構造が存在する。
【０００４】
さらに、特許文献２に開示されているように、木造建築物の構造木材の大引きにまで薬液剤を流入到達させるための下方に薬液剤流出孔を設けた中空管本体を備えた注入管が存在する。
【先行技術文献】
【特許文献】
【０００５】
【特許文献１】特開２００９−１３８３６０号公報
【特許文献２】特開２００３−１１１０５号公報
【考案の概要】
【考案が解決しようとする課題】
【０００６】
しかしながら、特許文献１の場合、防蟻剤供給管を長期間使用しないで、清掃もせずに放置しておくと、当該供給管内での防蟻剤の詰まりやカビ・錆び等が発生して、次回の防蟻剤吐出作業に支障を来たしてしまう虞があった。
【０００７】
また、特許文献２の場合、床板と、土台の大引きとの間に中空管本体を配設するには、既設の建築物の場合、施工上非常に困難であり、しかも上記特許文献１の場合と同様に、中空管本体を長期間使用しない場合では、配管内の詰まりやカビ・錆び等の発生による配間自体の劣化が避けられないものとなっていた。
【０００８】
そこで、本考案は叙上のような従来存した諸事情に鑑み創出されたもので、薬液剤噴霧終了後の配管内の残液を空気圧により排出でき、長期間使用しないことがあっても、配管内の詰まりやカビ・錆び等の発生を解消できるものとしたシロアリ防除用薬液剤噴霧装置を提供することを目的とする。
【課題を解決するための手段】
【０００９】
上述した課題を解決するために、本考案にあっては、建築物の床下における布基礎の立上がり部壁面に沿って敷設され且つ床外部の換気口に連通して成るシロアリ防除用の薬液剤供給用配管と、
前記換気口から前記薬液剤供給用配管内に薬液剤を導入するポンプ装置と、
前記ポンプ装置によって薬液剤を前記布基礎の立上がり部側面から床下側に向けて微細霧状に噴霧させるよう当該薬液剤供給用配管の少なくとも一部箇所に備えた噴霧ノズルと、
薬液剤の噴霧終了後に、前記換気口から前記薬液剤供給用配管内に圧縮空気を送気して当該配管内に残留した薬液剤を前記噴霧ノズルから排出させるよう当該換気口のポンプ装置をコンプレッサーに切替える構成とすることを特徴とする。
【００１０】
前記換気口は、三方弁を介して前記ポンプ装置および前記コンプレッサーに接続され、該三方弁は、前記ポンプ装置の駆動による前記噴霧ノズルからの薬液剤の噴霧操作の終了時に、前記ポンプ装置から前記コンプレッサーに切替えて前記薬液剤供給用配管内に圧縮空気を送気するものとした。
【００１１】
前記噴霧ノズルは、矩形状の床面に対応して敷設された平面視矩形状の布基礎の場合、当該布基礎の対角線に沿って対向配置して成る。
【考案の効果】
【００１２】
本考案によれば、薬液剤の噴霧終了後における配管内の残液を空気圧により効率良く排出することができ、長期間使用しないことがあっても、配管内の詰まりやカビ・錆び等の発生を防止することができる。
【００１３】
すなわち、本考案は、建築物の床下における布基礎の立上がり部壁面に沿って敷設され且つ床外部の換気口に連通して成るシロアリ防除用の薬液剤供給用配管と、前記換気口から前記薬液剤供給用配管内に薬液剤を導入するポンプ装置と、前記ポンプ装置によって薬液剤を前記布基礎の立上がり部側面から床下側に向けて微細霧状に噴霧させるよう当該薬液剤供給用配管の少なくとも一部箇所に備えた噴霧ノズルと、薬液剤の噴霧終了後に、前記換気口から前記薬液剤供給用配管内に圧縮空気を送気して当該配管内に残留した薬液剤を前記噴霧ノズルから排出させるよう当該換気口のポンプ装置をコンプレッサーに切替える構成としたので、床下への薬液剤の噴霧を長期間実施しないままであっても、薬液剤の噴霧終了後に圧縮空気の送気によって配管内に残留した薬液剤を噴霧ノズルから排出させておけば、次回の防蟻剤吐出作業に何等支障を来たすことはない。また、従来のように清掃作業者等が床下に潜らなくても、薬液剤供給用配管の端末を床外部の換気口まで持っていくことで、そこからシロアリ防除の噴霧作業が可能となる。
【００１４】
前記換気口は、三方弁を介して前記ポンプ装置および前記コンプレッサーに接続され、該三方弁は、前記ポンプ装置の駆動による前記噴霧ノズルからの薬液剤の噴霧操作の終了時に、前記ポンプ装置から前記コンプレッサーに切替えて前記薬液剤供給用配管内に圧縮空気を送気するものとしたので、三方弁の例えば手動もしくは自動制御等による切替え操作のみで、薬液剤供給用配管内に圧縮空気を容易に送気することができる。
【００１５】
前記噴霧ノズルは、矩形状の床面に対応して敷設された平面視矩形状の布基礎の場合、当該布基礎の対角線に沿って対向配置して成るので、最小限必要とする一対の噴霧ノズルだけによって、床下の隅々まで薬液剤の噴霧が効率良く行えるものとなる。
【図面の簡単な説明】
【００１６】
【図１】本考案を実施するための一形態におけるシロアリ防除用薬液剤噴霧装置の概要を概念的に示す斜視図である。
【考案を実施するための形態】
【００１７】
以下、図面を参照して本考案の実施の一形態を詳細に説明する。本実施形態におけるシロアリ防除用薬液剤噴霧装置は、主として建築物の床下に敷設されるものであって、図１に示すように、床外部の換気口４に連通して成る例えばステンレス製等のシロアリ防除用の薬液剤供給用配管１が、布基礎Ｐの平面視で略矩形状となった立上がり部の内壁面、例えば、布基礎Ｐの立上り部と土間コンクリートの端部との接合部分に沿って付設されている。
【００１８】
また、前記布基礎Ｐに設置された平面視で略矩形状となった薬液剤供給用配管１の対角線に沿って一対の噴霧ノズル２，３が対向配置されている。なお、この噴霧ノズル２，３は一対のものに限らず、薬液剤供給用配管１に沿って複数設けられていても良い。
【００１９】
さらに、前記換気口４は、三方弁５を介してポンプ装置６およびコンプレッサー７に接続されている。この三方弁５は、前記ポンプ装置６の駆動により前記薬液剤供給用配管１内に薬液剤を送給して前記噴霧ノズル２，３から微細霧状となって床下に噴霧させる操作と、コンプレッサー７の駆動によって前記薬液剤供給用配管１内に圧縮空気を送気して前記噴霧ノズル２，３から噴出排気させる操作との切替が可能となっている。
【００２０】
なお、図１中、符号８は薬液剤の供給ラインで、符号９は圧縮空気の送気ラインである。上記構成において、前記三方弁５の操作によって薬液剤供給用配管１内での薬液剤の流れと圧縮空気の流れが制御されるのであり、この制御は手動であっても自動制御であっても良い。
【００２１】
自動制御の場合、薬液剤の噴霧作業を行うポンプ装置の操作の終了と同時に、前記薬液剤供給用配管１内の不図示の減圧感知器によって感知信号が不図示の制御盤へ送信され、さらにこの感知信号によって制御盤は前記三方弁５を圧縮空気の送気操作に切替える。
【００２２】
なお、上記した本実施形態において、さらに他の様々な変形例も可能であり、床下の布基礎Ｐの設置構造に対応して薬液剤供給用配管１の管路形態も当然考慮される。
【００２３】
次に、以上のように構成された形態についての使用の一例について説明する。先ず、図１に示すように、先ず、噴霧ノズル２から散布させる薬液剤を入れた容器（図示せず）を準備し、ポンプ装置６と接続する。
【００２４】
次いで三方弁５を操作し、ポンプ装置６から換気口４を介して薬液剤供給用配管１と噴霧ノズル２への経路（図１中の符号８で示す薬液剤の供給ライン）を形成する。しかる後、ポンプ装置６を作動させて薬液剤を噴霧ノズル２へ流入させて微細霧状に噴霧させる。これにより、土間コンクリートの上側の床下空間におけるシロアリの駆除が効率良く行われる。
【００２５】
噴霧作業が終了すると、前記三方弁５を操作し、コンプレッサー７から換気口４を介して薬液剤供給用配管１と噴霧ノズル２への経路（図１中の符号９で示す圧縮空気の送気ライン）を形成する。しかる後、コンプレッサー７を作動させて圧縮空気を薬液剤供給用配管１へ流入させて噴霧ノズル２から噴出排気させる。これにより、薬液剤供給用配管１に残留している薬液剤を噴霧ノズル２から効率良く噴出させることができる。
【符号の説明】
【００２６】
Ｐ…布基礎
１…薬液剤供給用配管
２，３…噴霧ノズル
４…換気口
５…三方弁
６…ポンプ装置
７…コンプレッサー
８…薬液剤の供給ライン
９…圧縮空気の送気ライン
【図１】
0003198367.tif 000003
【手続補正書】
【提出日】平成27年3月25日(2015.3.25)
【手続補正１】
【補正対象書類名】実用新案登録請求の範囲
【補正対象項目名】全文
【補正方法】変更
【補正の内容】
【実用新案登録請求の範囲】
【請求項１】
建築物の床下における布基礎の立上がり部壁面に沿って敷設され且つ床外部の換気口に連通して成るシロアリ防除用の薬液剤供給用配管と、
前記換気口から前記薬液剤供給用配管内に薬液剤を導入するポンプ装置と、
前記ポンプ装置によって薬液剤を前記布基礎の立上がり部側面から床下側に向けて微細霧状に噴霧させるよう当該薬液剤供給用配管の少なくとも一部箇所に備えた噴霧ノズルと、を有し、
薬液剤の噴霧終了後に、前記換気口から前記薬液剤供給用配管内に圧縮空気を送気して当該配管内に残留した薬液剤を前記噴霧ノズルから排出させるよう当該換気口のポンプ装置をコンプレッサーに切替える構成とすることを特徴とするシロアリ防除用薬液剤噴霧装置。
【請求項２】
前記換気口は、三方弁を介して前記ポンプ装置および前記コンプレッサーに接続され、該三方弁は、前記ポンプ装置の駆動による前記噴霧ノズルからの薬液剤の噴霧操作の終了時に、前記ポンプ装置から前記コンプレッサーに切替えて前記薬液剤供給用配管内に圧縮空気を送気するものとした請求項１記載のシロアリ防除用薬液剤噴霧装置。
【請求項３】
前記噴霧ノズルは、矩形状の床面に対応して敷設された平面視矩形状の布基礎の場合、当該布基礎の対角線に沿って対向配置して成る請求項１または２記載のシロアリ防除用薬液剤噴霧装置。
【請求項４】
建築物の床下における布基礎の立上がり部壁面に沿って敷設され且つ床外部の換気口に連通して成るシロアリ防除用の薬液剤供給用配管と、
前記換気口から前記薬液剤供給用配管内に薬液剤を導入するポンプ装置と、
前記ポンプ装置によって薬液剤を前記布基礎の立上がり部側面から床下側に向けて微細霧状に噴霧させるよう当該薬液剤供給用配管の少なくとも平面視矩形状の布基礎の対角線に沿って対向配置して成る噴霧ノズルと、
を有し、
前記換気口は、三方弁を介して前記ポンプ装置および前記換気口は、三方弁を介して前記ポンプ装置およびコンプレッサーに接続され、該三方弁は、前記ポンプ装置の駆動による前記噴霧ノズルからの薬液剤の噴霧操作の終了時に、前記ポンプ装置から前記コンプレッサーに切替えて前記薬液剤供給用配管内に圧縮空気を送気することで当該配管内に残留した薬液剤を前記噴霧ノズルから排出させるものとしたことを特徴とするシロアリ防除用薬液剤噴霧装置。
【手続補正２】
【補正対象書類名】明細書
【補正対象項目名】０００９
【補正方法】変更
【補正の内容】
【０００９】
上述した課題を解決するために、本考案にあっては、建築物の床下における布基礎の立上がり部壁面に沿って敷設され且つ床外部の換気口に連通して成るシロアリ防除用の薬液剤供給用配管と、
前記換気口から前記薬液剤供給用配管内に薬液剤を導入するポンプ装置と、
前記ポンプ装置によって薬液剤を前記布基礎の立上がり部側面から床下側に向けて微細霧状に噴霧させるよう当該薬液剤供給用配管の少なくとも一部箇所に備えた噴霧ノズルと、を有し、
薬液剤の噴霧終了後に、前記換気口から前記薬液剤供給用配管内に圧縮空気を送気して当該配管内に残留した薬液剤を前記噴霧ノズルから排出させるよう当該換気口のポンプ装置をコンプレッサーに切替える構成とすることを特徴とする。
【手続補正書】
【提出日】平成27年4月21日(2015.4.21)
【手続補正１】
【補正対象書類名】実用新案登録請求の範囲
【補正対象項目名】請求項４
【補正方法】変更
【補正の内容】
【請求項４】
建築物の床下における布基礎の立上がり部壁面に沿って敷設され且つ床外部の換気口に連通して成るシロアリ防除用の薬液剤供給用配管と、
前記換気口から前記薬液剤供給用配管内に薬液剤を導入するポンプ装置と、
前記ポンプ装置によって薬液剤を前記布基礎の立上がり部側面から床下側に向けて微細霧状に噴霧させるよう当該薬液剤供給用配管の少なくとも平面視矩形状の布基礎の対角線に沿って対向配置して成る噴霧ノズルと、
を有し、
前記換気口は、三方弁を介して前記ポンプ装置およびコンプレッサーに接続され、該三方弁は、前記ポンプ装置の駆動による前記噴霧ノズルからの薬液剤の噴霧操作の終了時に、前記ポンプ装置から前記コンプレッサーに切替えて前記薬液剤供給用配管内に圧縮空気を送気することで当該配管内に残留した薬液剤を前記噴霧ノズルから排出させるものとしたことを特徴とするシロアリ防除用薬液剤噴霧装置。